(57)【要約】【課題】画像を属性ごとに分離し、分離した画像データそれぞれの属性に適した圧縮方法の暗号化処理を効率的に行うことを課題とする。【解決手段】画像分離装置(１０１)により、画像データを属性ごとに分離する。ここで言う属性というのは、例えば、文字データと写真データをいう。そして、画像データを文字データと写真データに分離した後、文字データを圧縮装置１(１０２)で、写真データを圧縮装置２(１０３)においてそれぞれ圧縮する。【選択図】        図１
2006254054.tif 000002
【特許請求の範囲】
【請求項１】
画像データを暗号化処理することにより圧縮する画像暗号化装置であって、
前記画像データそれぞれを各々の属性ごとに分離する画像分離手段と、
前記画像分離手段によって分離された画像データのそれぞれに適した圧縮方法を用いて当該画像データを圧縮処理する画像圧縮手段と、
前記画像圧縮手段によって画像データを圧縮する際に、ある属性の画像データに対してのみ暗号化処理を行う暗号化処理手段と、
を備えたことを特徴とする画像暗号化装置。
【請求項２】
前記暗号化処理手段は、前記複数の画像データの暗号化処理を実行するかどうかをユーザに選択させることを特徴とする請求項１に記載の画像暗号化装置。
【請求項３】
前記暗号化処理手段によって暗号化処理された画像データを元の画像データに戻す画像データ復元手段をさらに備えたことを特徴とする請求項１に記載の画像暗号化装置。
【請求項４】
前記暗号化処理手段は、ユーザから指定された一つの属性の画像データに対して暗号化処理を実行することを特徴とする請求項１に記載の画像暗号化装置。
【請求項５】
前記暗号化処理手段は、前記ユーザから指定された一つの属性の画像データに対して暗号化処理を実行するかどうかを当該ユーザに選択させることを特徴とする請求項１に記載の画像暗号化装置。
【請求項６】
前記画像データ復元手段は、前記ユーザから指定されて暗号化処理を行った一つの属性の画像データを元の画像データに復元することを特徴とする請求項１に記載の画像暗号化装置。
【請求項７】
前記暗号化処理手段は、ユーザから指定された複数の属性の画像データに対して暗号化処理を実行することを特徴とする請求項１に記載の画像暗号化装置。
【請求項８】
前記画像データ復元手段は、前記ユーザから指定されて暗号化処理を行った複数の属性の画像データを元の画像データに復元することを特徴とする請求項１に記載の画像暗号化装置。
【請求項９】
画像データを暗号化処理することにより圧縮する画像暗号化方法であって、
前記画像データそれぞれを各々の属性ごとに分離する画像分離工程と、
前記画像分離手段によって分離された画像データのそれぞれに適した圧縮方法を用いて当該画像データを圧縮処理する画像圧縮工程と、
前記画像圧縮手段によって画像データを圧縮する際に、ある属性の画像データに対してのみ暗号化処理を行う暗号化処理工程と、
を含んだことを特徴とする画像暗号化方法。
【請求項１０】
画像データを暗号化処理することにより圧縮する画像暗号化プログラムであって、
前記画像データそれぞれを各々の属性ごとに分離する画像分離手順と、
前記画像分離手段によって分離された画像データのそれぞれに適した圧縮方法を用いて当該画像データを圧縮処理する画像圧縮手順と、
前記画像圧縮手段によって画像データを圧縮する際に、ある属性の画像データに対してのみ暗号化処理を行う暗号化処理手順と、
をコンピュータに実行させることを特徴とする画像暗号化プログラム。
１８  ＨＤＤ（Hard Disk Drive）
【発明の詳細な説明】
【技術分野】
【０００１】
この発明は、複数の画像データを暗号化処理することにより圧縮する画像暗号化装置、画像暗号化方法および画像暗号化プログラムに関する。
【背景技術】
【０００２】
従来より、複写機には大容量のデータ記憶装置が搭載され、複写機内部の記憶装置に画像データを蓄積するようになっている。そして、データ記憶装置に画像データを蓄積する際には、処理の効率化やセキュリティの面から画像データを一旦暗号化して圧縮処理を行うのが一般的に行われている。
【０００３】
ところで、画像データを圧縮する方法として、例えば、特許文献１（特開平９−１５４０２３号公報）に、圧縮率の向上や圧縮時の画質の劣化を少なくするように、１つの画像をその属性ごとに分離して複数のブレーンに分けて取り扱い、その属性ごとに適した画像暗号化方式（例えば、画像内の文字部にはＭＭＲ方式、絵柄部にはＪＰＥＧ方式）をもちいて圧縮する方法が開示されている。
【０００４】
しかし、画像各部の属性に適した画像暗号化方式を切り換えて採用することによって、複数の属性を持つ画像の劣化を防ぎ、効率よくかつ十分に画像データを圧縮する効果を得ることは難しいという問題がある。
【０００５】
【特許文献１】特開平９−１５４０２３号公報
【発明の開示】
【発明が解決しようとする課題】
【０００６】
そこで、この発明は、上述した従来技術の課題を解決するためになされたものであり、画像を属性ごとに分離し、分離した画像データそれぞれの属性に適した圧縮方法の暗号化処理を効率的に行うことが可能な画像暗号化装置、画像暗号化方法および画像暗号化プログラムを提供することを目的とする。
【課題を解決するための手段】
【０００７】
上述した課題を解決し、目的を達成するために、請求項１にかかる発明は、複数の画像データを暗号化処理することにより圧縮する画像暗号化装置であって、前記複数の画像データそれぞれを各々の属性ごとに分離する画像分離手段と、前記画像分離手段によって分離された画像データのそれぞれに適した圧縮方法を用いて当該画像データを圧縮処理する画像圧縮手段と、前記画像圧縮手段によって画像データを圧縮する際に、ある属性の画像データに対してのみ暗号化処理を行う暗号化処理手段と、を備えたことを特徴とする。
【０００８】
また、請求項２にかかる発明は、前記暗号化処理手段は、前記複数の画像データの暗号化処理を実行するかどうかをユーザに選択させることを特徴とする。
【０００９】
また、請求項３にかかる発明は、前記暗号化処理手段によって暗号化処理された画像データを元の画像データに戻す画像データ復元手段をさらに備えたことを特徴とする。
【００１０】
また、請求項４にかかる発明は、前記暗号化処理手段は、ユーザから指定された一つの属性の画像データに対して暗号化処理を実行することを特徴とする。
【００１１】
また、請求項５にかかる発明は、前記暗号化処理手段は、前記ユーザから指定された一つの属性の画像データに対して暗号化処理を実行するかどうかを当該ユーザに選択させることを特徴とする。
【００１２】
また、請求項６にかかる発明は、前記画像データ復元手段は、前記ユーザから指定されて暗号化処理を行った一つの属性の画像データを元の画像データに復元することを特徴とする。
【００１３】
また、請求項７にかかる発明は、前記暗号化処理手段は、ユーザから指定された複数の属性の画像データに対して暗号化処理を実行することを特徴とする。
【００１４】
また、請求項８にかかる発明は、前記画像データ復元手段は、前記ユーザから指定されて暗号化処理を行った複数の属性の画像データを元の画像データに復元することを特徴とする。
【００１５】
また、請求項９にかかる発明は、複数の画像データを暗号化処理することにより圧縮して内部に記憶する画像暗号化方法であって、前記複数の画像データそれぞれを各々の属性ごとに分離する画像分離工程と、前記画像分離手段によって分離された画像データのそれぞれに適した圧縮方法を用いて当該画像データを圧縮処理する画像圧縮工程と、前記画像圧縮手段によって画像データを圧縮する際に、ある属性の画像データに対してのみ暗号化処理を行う暗号化処理工程と、を含んだことを特徴とする。
【００１６】
また、請求項１０にかかる発明は、複数の画像データを暗号化処理することにより圧縮して内部に記憶する画像暗号化プログラムであって、前記複数の画像データそれぞれを各々の属性ごとに分離する画像分離手順と、前記画像分離手段によって分離された画像データのそれぞれに適した圧縮方法を用いて当該画像データを圧縮処理する画像圧縮手順と、前記画像圧縮手段によって画像データを圧縮する際に、ある属性の画像データに対してのみ暗号化処理を行う暗号化処理手順と、をコンピュータに実行させることを特徴とする。
【発明の効果】
【００１７】
請求項１、９および１０にかかる発明によれば、画像を属性ごとに分離し、それぞれの属性に適した圧縮方法を用いて圧縮し１つの画像データとして扱うデータに対して暗号化処理を行う際、ある属性のデータに対してのみ暗号化処理を行うので、暗号化処理を行うデータ量が少なくでき、処理時間を少なくすることが可能となる。
【００１８】
また、請求項２にかかる発明によれば、暗号化処理を実行するかどうかユーザが選択するので、セキュリティ保護の必要が無いデータには処理を行わない分だけ処理時間を少なくすることが可能となる。
【００１９】
また、請求項３にかかる発明によれば、暗号化処理された画像データを元の画像データに戻すことが可能となる。
【００２０】
また、請求項４にかかる発明によれば、画像を属性ごとに分離し、それぞれの属性に適した圧縮方法を用いて圧縮し１つの画像データとして扱うデータに対して、暗号化処理を行う際、ユーザの指定により１つの任意の属性のデータに対して暗号化処理を行うので、暗号化処理を行うデータ量が少なくなることによって処理時間を少なくでき、ユーザにしかわからない重要な部分に暗号化処理を行うことが可能となる。
【００２１】
また、請求項５にかかる発明によれば、ユーザが指定した１つの属性の画像データの暗号化処理を実行するかどうかユーザが選択するので、セキュリティ保護の必要が無いデータには処理を行わない分だけ処理時間を少なくすることが可能となる。
【００２２】
また、請求項６にかかる発明によれば、ユーザの指定により暗号化処理された１つの属性の画像データを元の画像データに戻すことが可能となる。
【００２３】
また、請求項７にかかる発明によれば、画像を属性ごとに分離し、それぞれの属性に適した圧縮方法を用いて圧縮し１つの画像データとして扱うデータに対して、暗号化処理を行う際、ユーザの指定により複数の任意の属性のデータに対して暗号化処理を行うので、セキュリティ強度をユーザが任意に設定することが可能となる。
【００２４】
また、請求項８にかかる発明によれば、ユーザの指定により暗号化処理された複数の属性の画像データを元の画像データに戻すことが可能となる。
【発明を実施するための最良の形態】
【００２５】
以下に添付図面を参照して、この発明にかかる画像暗号化装置、画像暗号化方法および画像暗号化プログラムの実施例を詳細に説明する。なお、以下では、本発明に係る画像暗号化装置、画像暗号化方法および画像暗号化プログラムを実施例１として説明した後に、本発明に含まれる他の実施例を説明する。
【実施例１】
【００２６】
以下の実施例１では、実施例１に係る画像暗号化装置の概要および特徴を説明し、最後に実施例１の効果を説明する。
【００２７】
［概要および特徴］
まず最初に、図１を用いて、実施例１にかかる画像暗号化装置の概要および特徴を説明する。図１は、実施例１に係る画像暗号化装置の概要を説明する図である。
【００２８】
同図に示すように、まず画像分離装置（１０１）により、画像データを属性ごとに分離する。ここで言う属性というのは、例えば、文字データと写真データをいう。次に、画像データを文字データと写真データに分離した後、文字データを圧縮装置１（１０２）で、写真データを圧縮装置２（１０３）においてそれぞれ圧縮する。ここで、圧縮方式は、画像データの属性にそれぞれ適した圧縮方式を用い、例えば、文字データの圧縮を行う圧縮装置１（１０２）はＭＭＲ圧縮方式、写真データの圧縮を行う圧縮装置２（１０３）はＪＰＥＧ圧縮等を用いる。
【００２９】
そして、圧縮装置１（１０２）により圧縮された文字データは、暗号化装置（１０４）により暗号化され、データパッキング装置（１０５）に送られる。また、圧縮装置２（１０３）により圧縮された写真データは、そのままデータパッキング装置（１０５）に送られ、それぞれのデータがデータパッキング装置（１０５）においてパッキングされ、１つのデータとして出力される。
【００３０】
このような概要を有する画像暗号化装置の特徴について、図２〜図８を用いて説明する。図２は、実施例１に係るユーザが画像データの暗号化を選択する場合の概要を説明する図である。同図に示すように、暗号化切替装置（２０４）には、ユーザが外部から入力する暗号化処理を行うかどうかの判定信号を受け付ける。そして、暗号化切替装置（２０４）は、判定信号に従い、暗号化処理を行う場合には暗号化装置（２０５）へデータを送り、あるいは、暗号化処理を行わない場合はデータパッキング装置（２０６）へデータを送る。
【００３１】
そして、データパッキング装置（２０６）も、ユーザが外部から入力した判定信号を受け付けており、入力されるデータが、暗号化切替装置（２０４）からのデータか、あるいは、暗号化装置（２０５）からのデータかを判定信号により判別する。また、圧縮装置２（２０３）により圧縮された写真データは、そのままデータパッキング装置（１０５）に送られ、それぞれのデータが、データパッキング装置（２０６）にてパッキングされ、１つのデータとして出力される。
【００３２】
続いて、図３は、実施例１に係る暗号化されたデータを復元する場合の概要を示す図である。同図に示すように、まず、パッキングデータ分離装置（３０１）によりパッキングされたデータを分離する。次に、暗号化されているデータは暗号復号装置（３０２）へ、暗号化されていないデータは伸張装置２（３０４）へ送られる。次に、暗号復号装置（３０２）に送られたデータは、復号処理後、伸張装置１（３０３）に送られ、伸張処理を行った後、データ合成装置（３０５）へ送られる。次に、伸張装置２（３０４）に送られたデータも伸張処理を行った後、データ合成装置（３０５）へ送られる。そして、それぞれ伸張されたデータは、データ合成装置（３０５）においてデータ合成され、元画像データとして出力される。
【００３３】
続いて、図４は、実施例１に係るユーザの指定により１つの属性の画像データについて暗号化処理を行う場合の概要を示す図である。同図に示すように、暗号化切替装置（４０４）は、ユーザが外部から入力する暗号化属性指定信号も受け付ける。ここで、暗号化属性指定信号とは、暗号化する属性を指定する信号をいう。次に、暗号化切替装置（４０４）は、受け付けた暗号化属性指定信号によって、圧縮装置１（４０２）、あるいは、圧縮装置２（４０３）のどちらかから入力されるデータの一方を暗号化装置（４０５）に、もう一方をそのままデータパッキング装置（４０６）へ送る。次に、暗号化装置（４０５）に送られたデータは暗号化処理が行われた後、データパッキング装置（４０６）に送られる。そして、それぞれのデータが、データパッキング装置（４０６）においてパッキングされ、１つのデータとして出力される。
【００３４】
続いて、図５は、実施例１に係る１つの属性の画像データについて暗号化処理を行うかどうかユーザ選択する場合の概要を示す図である。同図に示すように、暗号化切替装置（５０４）は、ユーザが外部から衆力する暗号化属性指定信号も入力されている。ここで、暗号化属性指定信号とは、暗号化するかしないか、暗号化する場合は暗号化する属性を指定する信号をいう。次に、暗号化切替装置（５０４）は、受け付けた暗号化属性指定信号によって、圧縮装置１（５０２）および圧縮装置２（５０３）から入力されるデータのどちらかを暗号化装置（５０５）に送るかどうか、または両方ともそのままデータパッキング装置（５０６）へ送るかどうか判断しデータを後段に送る。
【００３５】
次に、暗号化装置（５０５）にデータが送られた場合には、送られたデータは暗号化処理が行われた後、データパッキング装置（５０６）に送られる。また、暗号化処理を行わない場合には、それぞれのデータがそのままデータパッキング装置（５０６）に送られる。次に、データパッキング装置（５０６）も、ユーザが外部から入力する暗号化属性指定信号受け付けていて、受け付けた暗号化属性指定信号によって、入力データが暗号化装置（５０５）からのデータか、あるいは、暗号化切替装置（５０４）からのデータかどうかの判断を行い、入力データをパッキングして、１つのデータとして出力する。
【００３６】
続いて、図６は、実施例１に係るユーザの指定により暗号化処理された１つの属性の画像データを復元する場合の概要を示す図である。同図に示すように、まず、パッキングデータ分離装置（６０１）によりパッキングされたデータを分離する。次に、パッキングデータ分離装置（６０１）により分離されたデータは、復号切替装置（６０２）により暗号化されているかどうか判断され、暗号化されているものは暗号復号装置（６０３）へ送られる。また、暗号化されていないものは、伸張装置１（６０４）、もしくは伸張装置２（６０５）へ直接送られる。次に、暗号復号装置（６０３）にて復号されたデータもその後、画像データの属性ごとに適した圧縮方式を採用する伸張装置１（６０４）、もしくは伸張装置２（６０５）へ送られる。そして、伸張装置１（６０４）、伸張装置２（６０５）にて伸張されたデータは、その後データ合成装置（６０６）に送られ、データ合成され、元画像データとして出力される。
【００３７】
続いて、図７は、実施例１に係るユーザの指定により複数の属性の画像データについて暗号化処理を行う場合の概要を示す図である。同図に示すように、圧縮装置１（７０２）〜ｎ（７０５）まで記載してあるが、圧縮装置の数をｎと可変にしたのは、画像分離装置７０１のアルゴリズムにより分離後の属性の数が変化するためである。ここではｎ＝３の場合について説明する。画像データを、文字データと、写真データと、ＣＧデータとに分離した後、文字データを圧縮装置１（７０２）で、写真データを圧縮装置２（７０３）で、ＣＧデータを圧縮装置ｎ（＝３）（７０５）においてそれぞれ圧縮する。次に、圧縮方式はそれぞれの属性に適した圧縮方式を用いる。
【００３８】
次に、圧縮装置１(７０２)、圧縮装置２(７０３)、圧縮装置ｎ（＝３）（７０５）により圧縮されたデータは暗号化切替装置（７０６）に送られる。暗号化切替装置（７０６）は、ユーザが外部から入力する暗号化属性指定信号も受け付ける。ここで、暗号化属性指定信号とは、暗号化する属性を指定する信号である。次に、暗号化切替装置（７０６）は暗号化属性指定信号によって、圧縮装置１（７０２）〜ｎ（＝３）（７０６）から入力されるデータをそれぞれの属性ごとに用意された暗号化装置１（７０７）〜ｎ（＝３）（７０９）に送るか、あるいは、そのままデータパッキング装置（７１０）に送るかを判定しデータを送る。そして、データパッキング装置（７１０）も暗号化属性指定信号を受け付けていて、暗号化属性指定信号に従い、有効データが暗号化切替装置（７０６）からのデータか、暗号化装置１（７０７）〜ｎ（＝３）（７０９）からのデータかを判断し、1つのデータにパッキングして出力する。
【００３９】
続いて、図８は、実施例１に係るユーザの指定により暗号化処理された複数の属性の画像データを復元する場合の概要を示す図である。同図に示すように、まず、パッキングデータ分離装置（８０１）によりパッキングされたデータを分離する。次に、パッキングデータ分離装置（８０１）により分離されたデータは、復号切替装置（８０２）により暗号化されているかどうか判断され、暗号化されているものは暗号復号装置１（８０３）〜ｎ（８０６）へ送られる。また、暗号化されていないものは、画像データの属性ごとに適した圧縮方式を採用する伸張装置１（８０７）〜ｎ（８１０）へ直接送られる。次に、暗号復号装置１（８０３）〜ｎ（８０６）にて復号されたデータもその後、画像データの属性ごとに適した圧縮方式を採用する伸張装置１（８０７）〜ｎ（８１０）へ送られる。そして、伸張装置１（８０７）〜ｎ（８１０）にて伸張されたデータは、その後データ合成装置(811)に送られ、データ合成をされ、元画像データとして出力される。
【００４０】
［実施例１の効果］
上述してきたように、実施例１によれば、画像を属性ごとに分離し、それぞれの属性に適した圧縮方法を用いて圧縮し１つの画像データとして扱うデータに対して暗号化処理を行う際、ある属性のデータに対してのみ暗号化処理を行うので、暗号化処理を行うデータ量が少なくでき、処理時間を少なくすることが可能となる。
【００４１】
また、実施例１によれば、暗号化処理を実行するかどうかユーザが選択するので、セキュリティ保護の必要が無いデータには処理を行わない分だけ処理時間を少なくすることが可能となる。
【００４２】
また、実施例１によれば、暗号化処理された画像データを元の画像データに戻すことが可能となる。
【００４３】
また、実施例１によれば、画像を属性ごとに分離し、それぞれの属性に適した圧縮方法を用いて圧縮し１つの画像データとして扱うデータに対して、暗号化処理を行う際、ユーザの指定により１つの任意の属性のデータに対して暗号化処理を行うので、暗号化処理を行うデータ量が少なくなることによって処理時間を少なくでき、ユーザにしかわからない重要な部分に暗号化処理を行うことが可能となる。
【００４４】
また、実施例１によれば、ユーザが指定した１つの属性の画像データの暗号化処理を実行するかどうかユーザが選択するので、セキュリティ保護の必要が無いデータには処理を行わない分だけ処理時間を少なくすることが可能となる。
【００４５】
また、実施例１によれば、ユーザの指定により暗号化処理された１つの属性の画像データを元の画像データに戻すことが可能となる。
【００４６】
また、実施例１によれば、画像を属性ごとに分離し、それぞれの属性に適した圧縮方法を用いて圧縮し１つの画像データとして扱うデータに対して、暗号化処理を行う際、ユーザの指定により複数の任意の属性のデータに対して暗号化処理を行うので、セキュリティ強度をユーザが任意に設定することが可能となる。
【００４７】
また、実施例１によれば、ユーザの指定により暗号化処理された複数の属性の画像データを元の画像データに戻すことが可能となる。
【実施例２】
【００４８】
さて、これまで実施例１に係る画像暗号化装置について説明したが、以下の実施例２では、図９を用いて、本発明に係る画像暗号化装置を含んで構成される画像形成装置のハードウェア構成について説明する。図９は、実施例２に係る画像形成装置の構成を示すブロック図である。
【００４９】
同図に示すように、この画像形成装置は、コントローラ１０とエンジン部（Engine）６０とをＰＣＩ（Peripheral Component Interconnect）バスで接続した構成となる。コントローラ１０は、複合機１全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００５０】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂとをさらに有する。
【００５１】
ＣＰＵ１１は、複合機１の全体制御をおこなうものであり、ＮＢ１３、ＭＥＭ−Ｐ１２およびＳＢ１４からなるチップセットを有し、このチップセットを介して他の機器と接続される。
【００５２】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００５３】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００５４】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００５５】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。
【００５６】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【００５７】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【産業上の利用可能性】
【００５８】
画像データを暗号化処理することにより圧縮する場合に有用であり、特に、画像を属性ごとに分離し、分離した画像データそれぞれの属性に適した圧縮方法の暗号化処理を効率的に行うことに適している。
【図面の簡単な説明】
【００５９】
【図１】実施例１に係る画像暗号化装置の概要を説明する図である。
【図２】実施例１に係るユーザが画像データの暗号化を選択する場合の概要を説明する図である。
【図３】実施例１に係る暗号化された画像データを復元する場合の概要を示す図である。
【図４】実施例１に係るユーザの指定により１つの属性の画像データについて暗号化処理を行う場合の概要を示す図である。
【図５】実施例１に係る１つの属性の画像データについて暗号化処理を行うかどうかユーザ選択する場合の概要を示す図である。
【図６】実施例１に係るユーザの指定により暗号化処理された１つの属性の画像データを復元する場合の概要を示す図である。
【図７】実施例１に係るユーザの指定により複数の属性の画像データについて暗号化処理を行う場合の概要を示す図である。
【図８】実施例１に係るユーザの指定により暗号化処理された複数の属性の画像データを復元する場合の概要を示す図である。
【図９】実施例２に係る画像形成装置の構成を示すブロック図である。
【符号の説明】
【００６０】
１０  コントローラ
１１  ＣＰＵ
１２  システムメモリ
１２ａ  ＲＯＭ
１２ｂ  ＲＡＭ
１３  ノースブリッジ
１４  サウスブリッジ
１５  ＡＧＰ（Accelerated Graphics Port）
１６  ＡＳＩＣ（Application Specific Integrated Circuit）
１７  ローカルメモリ
【図１】
2006254054.tif 000003
【図２】
2006254054.tif 000004
【図３】
2006254054.tif 000005
【図４】
2006254054.tif 000006
【図５】
2006254054.tif 000007
【図６】
2006254054.tif 000008
【図７】
2006254054.tif 000009
【図８】
2006254054.tif 000010
【図９】
2006254054.tif 000011